(57)【要約】 【課題】鎌片の中間部の外周面とフロント板の開口の縁部との間の間隙から攻撃され難い引戸用鎌錠を提案すること。【解決手段】引戸用鎌片２３の中間部２３ｂは、軸孔３３及び前記係合孔２６を有する幅広後端部２３ａからやや扇状に形成されていると共に、固定支軸２４を中心とする円弧上の弧状外周面２７を有し、該鎌片２３は、施錠時、内側ケース部材のフロント板１６の開口縁部１９ｂと弧状外周面２７との間に略間隙ａが生じないように軸支されていること。【選択図】  図１
2005194814.tif 000002
【特許請求の範囲】
【請求項１】
鎌錠が、内側ケース部材に横設軸架された固定支軸２４に軸支され、かつ、内側錠機構１４を構成する作動板２２の作動軸２５が係合する幅広後端部２３ａと、この幅広後端部２３ａに連設する中間部２３ｂと、この中間部２３ｂに連設する指先状先端部２３ｃとから成る引戸用鎌錠に於いて、前記鎌片２３の中間部２３ｂは、軸孔３３及び係合孔２６を有する幅広後端部２３ａからやや扇状に形成されていると共に、前記固定支軸２４を中心とする円弧上に弧状外周面２７を有し、該鎌片２３は、施錠時、内側ケース部材のフロント板１６の鎌片用開口縁部１９ｂと前記弧状外周面２７との間に略間隙ａが生じないように軸支されていることを特徴とする引戸用鎌錠。
【請求項２】
請求項１に於いて、内側ケース部材のフロント板１６は、浸炭焼き入れされた硬質防御フロント板であることを特徴とする引戸用鎌錠。
【請求項３】
請求項１に於いて、引戸は外側引戸１と内側引戸１１とから成る引き違い戸であり、前記外側引戸１の外框２に取付けられる外側ケース部材３は、外框２の開口部に内装されるケース本体４と、ケース本体４に硬質防御裏板５を介して外框２に固定される外側化粧板６と、ケース本体４に固定されたストライク７から構成されていることを特徴とする引戸用鎌錠。
【請求項４】
請求項１に於いて、鎌片２３は、後端部２３ａと中間部２３ｂの境目部分に形成された支持孔３４に嵌挿されたバネ装着軸３２と、該バネ装着軸３２に巻装されたクリックバネ３１とを備え、クリックバネ３１の一端部３１ａは、鎌片２３の中間の掛合片３０に圧接すると共に、他端部３１ｂは作動軸２５に圧接することを特徴とする引戸用鎌錠。
【発明の詳細な説明】
【技術分野】
【０００１】
本発明は、引戸用鎌錠に関する。
【背景技術】
【０００２】
図８は従来の引戸用鎌錠Ｙの一例を概略的に示す。なお、引戸用鎌錠Ｙの説明に於いて、後述する本発明の一実施例と同一の部分には、同一の符号を付して重複する説明を省略する。引戸用鎌錠Ｙは、外側引戸１の外框２に取付けられる外側ケース部材３と、内側引戸１１の内框１２に取付けられる内側ケース部材１３と、該内側ケース部材１３に設けられた内側錠機構１４とから構成され、前記内側錠機構１４は、少なくとも内側カバー１８の中央部に上下方向にスライド自在に設けられた操作部材（サムターン摘み部材）と、この操作部材の操作力により上下動するようにケース本体１５内に設けられた作動板２２と、この作動板２２の一端部に軸支された鎌片２３Ａとを備えている。
【０００３】
しかして、前記鎌錠２３Ａは、内側ケース部材１３のケース本体１５に横設軸架された固定支軸２４に軸支され、かつ、作動板２２の作動軸２５が係合する係合孔２６を有する幅広後端部２３ａと、この幅広後端部２３ａに連設する中間部２３ｂと、この中間部２３ｂに連設する指先状先端部２３ｃとから構成されているが、前記中間部２３ｂの外側の周壁面２７Ａは直線状に形成されているので、鎌片２３Ａの施錠時、鎌片２３の中間部２３ｂの直線外周面２７Ａとフロント板１６の開口１９の縁部１９ｂとの間に５ｍｍとか、或いは６ｍｍといったような間隙ａが生じていた。
【０００４】
したがって、泥棒が前記間隙ａにドリル、バール等の工具の先端部の差込み、内側ケース部材１３の内側錠機構１４を攻撃する懸念があった。なお、引戸用鎌錠Ｙの鎌片２３Ａの一例は特許文献１に記載されている。
【特許文献１】特開２００１−３３６３２４公報（特許第３３７５５９８号）
【発明の開示】
【発明が解決しようとする課題】
【０００５】
本発明の第１の目的は、従来の引戸用鎌錠の問題点に鑑み、鎌片の中間部の外周面とフロント板の開口の縁部との間の間隙から攻撃され難い引戸用鎌錠を提案することである。第２の目的は、内側錠機構を保護することができる内側ケース部材を備えた引戸用鎌錠を提案することである。その他付随的な目的として、引戸が外側引戸と内側引戸とから成る引き違い戸である場合に於いて、強靭な外側ケース部材を備えた引戸用鎌錠を提案することである。また、鎌片を施・解錠時にクリック感を得ることができることである。
【課題を解決するための手段】
【０００６】
本発明の引戸用鎌錠は、鎌錠が、内側ケース部材に横設軸架された固定支軸２４に軸支され、かつ、内側錠機構１４を構成する作動板２２の作動軸２５が係合する幅広後端部２３ａと、この幅広後端部２３ａに連設する中間部２３ｂと、この中間部２３ｂに連設する指先状先端部２３ｃとから成る引戸用鎌錠に於いて、前記鎌片２３の中間部２３ｂは、軸孔３３及び係合孔２６を有する幅広後端部２３ａからやや扇状に形成されていると共に、前記固定支軸２４を中心とする円弧上に弧状外周面２７を有し、該鎌片２３は、施錠時、内側ケース部材のフロント板１６の鎌片用開口縁部１９ｂと前記弧状外周面２７との間に略間隙ａが生じないように軸支されていることを特徴とする。
【０００７】
上記構成に於いて、内側ケース部材のフロント板１６は、浸炭焼き入れされた硬質防御フロント板であることを特徴とする。
【発明の効果】
【０００８】
（１）請求項１に記載の発明は、施錠時、鎌片２３の中間部２３ｂの弧状外周面２７とフロント板１６の鎌片用開口１９の縁部１９ｂとの間に５ｍｍとか、或いは６ｍｍといったような攻撃を許容するような間隙が生じないので、フロント板側からのドリル又はバールの先端部の不正差込みが極めて困難となる。したがって、引戸用の鎌錠に対する不正解錠を未然に防止することができる。
【０００９】
（２）請求項２に記載の発明は、フロント板が硬質防御フロント板なので、鎌片用開口１９の縁部１９ｂがドリル又はバール等の工具の先端部により容易に変形ないし破壊しない。したがって、前記（１）の効果を保全することができる。
【発明を実施するための最良の形態】
【００１０】
以下、図１乃至図７に示す本発明の一実施例を説明する。この一実施例の鎌錠Ｘは、引き違い戸に取付けられているが、引戸全般に適宜に取付けても良い。
【００１１】
Ｘは引戸用鎌錠、１は外側引戸、２は外框、３はストライク機能を有する外側ケース部材、一方、１１は内側引戸、１２は内框、１３は内側ケース部材である。以下、これらの基本的な構成部材を中心に説明する。
【００１２】
（１）引戸用鎌錠Ｘ
図１で示すように、本実施例の引戸用鎌錠Ｘは、外側引戸１の外框２に取付けられる外側ケース部材３と、内側引戸１１の内框１２に取付けられる内側ケース部材１３と、該内側ケース部材１３に設けられた内側錠機構１４とから構成されている。外側ケース部材３は、シリンダー錠、動力伝達部材等の外側錠機構を有しない。したがって、本実施例の外側ケース部材３は、トロヨケ、ストライク等を備えた鎌片用の受け金具である。
【００１３】
（２）外側ケース部材３
外側ケース部材３は、外框２の開口部に内装されるケース本体(ケース型固定枠)４と、ケース本体４の屋外側端面あるいは壁面の硬質防御裏板５を介して外框２に固定される外側化粧板６と、ケース本体４の内側引戸１１側に位置するストライク７から構成されている。外側ケース部材３を構成するケース本体４、硬質防御裏板５、外側化粧板６、ストライク７は、その形状如何を問わず、外側引戸1(外框２)に取付けられる一つのユニットを構成する。本実施例では、前記硬質防御裏板５とストライク７は、浸炭焼き入れされている。外側化粧板６は、内壁面の上下端部に水平メネジ杆６ａ，６ａを有し、これらの水平メネジ杆６ａ，６ａにストライク７の上下端部の取付け孔を貫通する固着具８、８が螺合する。
【００１４】
（３）内側ケース部材１３
一方、内側ケース部材１３は、内框１２の開口部に内装されるケース本体１５と、ケース本体１５の屋外側端面或いは壁面の硬質防御フロント板１６と、ケース本体１５の室内側の端面あるいは壁面に固着具１７を介して固定される内側カバー(通称、「内側エスカチオン」)１８とから構成されている。内側ケース部材１３を構成するケース本体１５、硬質防御フロント板１６、内側カバー１８は、その形状如何を問わず、内側引戸１１(内框１２)に取付けられる一つのユニットを構成する。本実施例では、前記硬質防御フロント板１６も浸炭焼き入れされている。
【００１５】
しかして、内側ケース部材１３（硬質防御フロント板１６及びケース本体１５）の下端部には、後述する鎌片２３が出入りする鎌片用開口１９が形成されている。開口１９は矩形状である。
【００１６】
なお、内側カバー(内側エスカチオン)１８は、内壁面の上下端部に水平メネジ杆１８ａ，１８ａを有し、これらの水平メネジ杆１８ａ，１８ａにフロント板１６の上下端部の取付け孔を貫通する固着具２０、２０が螺合する。
【００１７】
（４）内側錠機構１４
内側錠機構１４は、少なくとも内側カバー１８の中央部に上下方向にスライド自在に設けられた操作部材（サムターン摘み部材）２１と、この操作部材２１の操作力により上下動するようにケース本体１５内に設けられた適宜形状の作動板２２と、この作動板２２の一端部に軸支された鎌片２３とを備えている。
【００１８】
（５）鎌片２３
鎌片２３は、ケース本体１５に横設軸架された固定支軸２４に軸支され、かつ、作動板２２の作動軸２５が係合するＴ字型状の係合孔２６を有する幅広後端部２３ａと、この幅広後端部２３ａにやや扇状に連設しかつ前記固定支軸２４を中心とする円弧上に弧状外周面２７を有する中間部２３ｂと、この中間部２３ｂに連設し、かつ、前記弧状外周面２７と同一曲率（略同一に連続する場合も含む）で連続する弧状外周面２８を有する指先状先端部２３ｃとから構成されている。
【００１９】
しかして、鎌片２３は、図７で示すように硬質防御のフロント板１６の開口１９の左右の縁部１９ａ、１９ａと左右の掛合片２９，２９との間にそれぞれ略間隙を生じないように合計４枚の掛合片を一体的に結合している（図４乃至図６）。また、鎌片２３の中間部２３ｂの弧状外周面２７は、施錠時、開口１９の一方の縁部（図７では下方の縁部）１９ｂと略間隙を生じないように形成されている。ここで、「間隙を生じない」とは、泥棒が用いるドリル又はバールが容易に差し込むことができない隙間の意味合いである。
【００２０】
したがって、例えば鎌片２３の中間部２３ｂの弧状外周面２７とフロント板１６の開口１９の縁部１９ｂとの間に５ｍｍとか、或いは６ｍｍの間隙が存在する場合には、ドリル、バールの先端部の差込みが容易になる可能性があるので、このような場合には間隙を生じないとは言わない反面、例えば２ｍｍや３ｍｍ程度は許容範囲である。
【００２１】
（６）クリックバネとバネ受け
本実施例の鎌片２３は、クリックバネ３１とバネ装着軸３２を備えている。鎌片２３の左右の掛合片２９，２９の間に介在する２枚の中間の掛合片３０，３０には、固定軸用軸孔３３や係合孔２６を有する後端部２３ａが設けられていない。すなわち、中間掛合片３０の後端部２３ａは適宜にカットされている。
【００２２】
そこで、前記バネ装着軸３２用の支持孔３４が、前記左右の掛合片２９，２９の後端部２３ａと中間部２３ｂの境目部分に形成され、該支持孔３４に嵌挿されたバネ装着軸３２には、一端部３１ａが中間掛合片３０に圧接すると共に、他端部３１ｂが作動軸２５に圧接するクリックバネ３１が巻装されている。
【実施例】
【００２３】
本発明の一実施例の鎌錠Ｘは、引き違い戸に取付けられているが、引戸全般に適宜に取付けても良い。また、一実施例の外側ケース部材３には、シリンダー錠、動力伝達部材、回転式施錠片等の外側錠機構を有しないが、もちろん、外側ケース部材３に対して、合鍵によって作動するシリンダー錠と、シリンダー錠の出力軸に固定したピニオン及び該ピニオンに噛合するようにケース本体４内に縦方向に配設されたラックとを備えた動力伝達部材と、この動力伝達部材の適宜箇所に固定された突起軸及び該突起軸と係合する係合する係合孔を有し、かつ、内側ケース部材に係合する回転式施錠片とから成る外側錠機構を設けても良い。
【００２４】
この実施例の場合には、外側ケース部材３のストライク７及び内側ケース部材１３のフロント板１６の対向部分に回転式施錠片が出入りする開口部を設けるか必要性があるので、該開口部からドリル、バール等の工具が侵入されないように防御壁を適宜に形成或いは設けるのが望ましい。
【００２５】
また、内側ケース部材１３の内側錠機構１４の作動板２２は、操作部材２１の操作力により上下動するが、引戸、鎌錠、操作部材等の取付け仕様如何によって、内側シリンダー錠に置換することもできる。
【産業上の利用可能性】
【００２６】
本発明は、引き違い戸、引き分け戸、戸枠に衝突する戸先型などの引戸用鎌錠に利用される。
【図面の簡単な説明】
【００２７】
図１乃至図７は本発明の一実施例を示す各説明図。図８は従来の一例を示す概略説明図。
【図１】全体の概略断面説明図。
【図２】主要部の概略断面説明図。
【図３】鎌片の正面からの説明図。
【図４】図３を基準にした右側面からの説明図。
【図５】鎌片の解錠時における斜視からの説明図。
【図６】鎌片の施錠時における斜視からの説明図。
【図７】鎌片の解錠時における説明図。
【図８】従来の一例を示す概略説明図。
【符号の説明】
【００２８】
Ｘ…引戸用鎌錠、１…外側引戸、２…外框、３…外側ケース部材、４…ケース本体、５…硬質防御裏板、６…外側化粧板、７…ストライク、８、１７、２０…固着具、１１…内側引戸、１２…内框、１３…内側ケース部材、１４…内側錠機構、１５…ケース本体、１６…フロント板、１８…内側カバー、１９…鎌片用開口、１９ａ…左右の縁部、１９b…一方の縁部、２１…操作部材、２２…作動板、２３…鎌片、２３ａ…幅広後端部、２３ｂ…中間部、２３ｃ…指先状先端部、２４…固定支軸、２５…作動軸、２６…係合孔、２７…中間部の弧状外周面、２８…先端部の弧状外周面、２９…左右の掛合片、３０…中間掛合片、３１…クリックバネ、３２…バネ装着軸。
【図１】
2005194814.tif 000003
【図２】
2005194814.tif 000004
【図３】
2005194814.tif 000005
【図４】
2005194814.tif 000006
【図５】
2005194814.tif 000007
【図６】
2005194814.tif 000008
【図７】
2005194814.tif 000009
【図８】
2005194814.tif 000010